(57)【特許請求の範囲】
【請求項１】
梱包する物品を緩衝する緩衝装置において、
段ボールの段目の方向と交差する方向に互いに平行な複数の切断線を形成するとともに、それぞれの切断線を部分的に連結部によって連結し、前記切断線のところで交互に逆方向に折曲げて重合わせて接合した複数の緩衝クッションを段目の方向の端部の板状部の表面と前記切断線によって折曲げられた端面または前記板状部の段目と交差する方向の端面とが接するように組合わされ、
第１の緩衝クッションには、切断線をまたぐように形成された切込みによって有底の係合孔が形成され、第２の緩衝クッションには、前記板状部に形成された矩形の開口によって厚さ方向に貫通する係合孔が形成され、前記第１の緩衝クッションの係合孔と前記第２の緩衝クッションの係合孔に筒状の連結部材が挿入されて前記第１の緩衝クッションの前記切断線によって折曲げられた端面と前記第２の緩衝クッションの段目の方向の端部の板状部の表面とが接するように結合されることを特徴とする緩衝装置。
【請求項２】
梱包する物品を緩衝する緩衝装置において、
段ボールの段目の方向と交差する方向に互いに平行な複数の切断線を形成するとともに、それぞれの切断線を部分的に連結部によって連結し、前記切断線のところで交互に逆方向に折曲げて重合わせて接合した複数の緩衝クッションを段目の方向の端部の板状部の表面と前記切断線によって折曲げられた端面または前記板状部の段目と交差する方向の端面とが接するように組合わされ、
第１の緩衝クッションには、それぞれの板状部に形成された開口を整合させて係合孔が形成され、第２の緩衝クッションには、板状部の段目と交差する方向の端部に切込みが形成され、これらの切込みを整合させて係合孔が形成され、前記第１の緩衝クッションの係合孔と前記第２の緩衝クッションの係合孔に段ボールを折畳んで組立てられた連結板の両端が挿入され、前記第１の緩衝クッションの段目の方向の端部の板状部の表面と前記第２の緩衝クッションの段目の方向と交差する方向の端面とが接するように結合されることを特徴とする緩衝装置。
【請求項３】
梱包する物品を緩衝する緩衝装置において、
段ボールの段目の方向と交差する方向に互いに平行な複数の切断線を形成するとともに、それぞれの切断線を部分的に連結部によって連結し、前記切断線のところで交互に逆方向に折曲げて重合わせて接合した複数の緩衝クッションを段目の方向の端部の板状部の表面と前記切断線によって折曲げられた端面または前記板状部の段目と交差する方向の端面とが接するように組合わされ、
第１の緩衝クッションには、それぞれの板状部に形成された開口を整合させて係合孔が形成され、第２の緩衝クッションには、所定の板状部の段目の方向と交差する方向に突出された突片を重合わせて係合部が形成され、前記第１の緩衝クッションの係合孔に前記第２の緩衝クッションの係合孔が挿入されて、前記第１の緩衝クッションの段目の方向の端部の板状部の表面と前記第２の緩衝クッションの段目の方向と交差する方向の端面とが接するように結合されることを特徴とする緩衝装置。
【請求項４】
梱包する物品を緩衝する緩衝装置において、
段ボールの段目の方向と交差する方向に互いに平行な複数の切断線を形成するとともに、それぞれの切断線を部分的に連結部によって連結し、前記切断線のところで交互に逆方向に折曲げて重合わせて接合した複数の緩衝クッションを段目の方向の端部の板状部の表面と前記切断線によって折曲げられた端面または前記板状部の段目と交差する方向の端面とが接するように組合わされ、
第１の緩衝クッションには、段目の方向の奇数番目の切断線の両側の切込みが整合されて前記切断線によって折曲げられた端面に切欠きが形成され、前記第１の緩衝クッションの切欠き内に第２の緩衝クッションの板状部の全幅を受入れ、前記第１の緩衝クッションの前記切断線によって折曲げられた端面であって前記切欠きによって露出する端面と前記第２の緩衝クッションの板状部の表面とが接するように結合されることを特徴とする緩衝装置。
【発明の詳細な説明】
【０００１】
【発明の属する技術分野】
本発明は緩衝装置に係り、とくに梱包する物品を緩衝する緩衝装置に関する。
【０００２】
【従来の技術】
各種の物品を物流に供する場合には、物流段階の途中で物品が損傷されないように梱包あるいは包装を行なうようにしていた。一般的な包装形態は、物品を段ボールケース内に収納するとともに、物品と段ボールケースとの間の隙間の部分にコーナクッション等の緩衝クッションを配するようにしたものである。外部からの衝撃は上記コーナクッションによって吸収されて物品が保護される。精密機器や壊れ易い物品については、このような包装形態が必須になる。
【０００３】
【発明が解決しようとする課題】
従来のこのような包装形態あるいは梱包形態によれば、それぞれの物品を段ボールケース内に収納した状態で、物品と段ボールケースとの間にそれぞれ発泡スチロール樹脂の緩衝クッションを配さなければならない。発泡スチロール樹脂の緩衝クッションは成形するための金型を要し、しかもこのような金型は、成形されるクッションの形状が違うと異なる金型を用意する必要がある。従ってコスト的に不利なものである。またこのような緩衝クッションは、リモネンのような特殊な薬剤によって溶解して再生することはできるものの、使用後に焼却廃棄を行なうと、黒煙を発生するとともに高熱を発して焼却炉を損傷することになる。従ってこのことから、廃棄物公害の原因になる。
【０００４】
本発明はこのような問題点に鑑みてなされたものであって、成形するための金型を必要とせず、リサイクルが可能であって、しかも焼却廃棄しても公害を発生しないようにした緩衝クッションを提供することを目的とする。
【０００５】
【課題を解決するための手段】
本願の一発明は、梱包する物品を緩衝する緩衝装置において、
段ボールの段目の方向と交差する方向に互いに平行な複数の切断線を形成するとともに、それぞれの切断線を部分的に連結部によって連結し、前記切断線のところで交互に逆方向に折曲げて重合わせて接合した複数の緩衝クッションを段目の方向の端部の板状部の表面と前記切断線によって折曲げられた端面または前記板状部の段目と交差する方向の端面とが接するように組合わされ、
第１の緩衝クッションには、切断線をまたぐように形成された切込みによって有底の係合孔が形成され、第２の緩衝クッションには、前記板状部に形成された矩形の開口によって厚さ方向に貫通する係合孔が形成され、前記第１の緩衝クッションの係合孔と前記第２の緩衝クッションの係合孔に筒状の連結部材が挿入されて前記第１の緩衝クッションの前記切断線によって折曲げられた端面と前記第２の緩衝クッションの段目の方向の端部の板状部の表面とが接するように結合されることを特徴とする緩衝装置に関するものである。
別の発明は、梱包する物品を緩衝する緩衝装置において、
段ボールの段目の方向と交差する方向に互いに平行な複数の切断線を形成するとともに、それぞれの切断線を部分的に連結部によって連結し、前記切断線のところで交互に逆方向に折曲げて重合わせて接合した複数の緩衝クッションを段目の方向の端部の板状部の表面と前記切断線によって折曲げられた端面または前記板状部の段目と交差する方向の端面とが接するように組合わされ、
第１の緩衝クッションには、それぞれの板状部に形成された開口を整合させて係合孔が形成され、第２の緩衝クッションには、板状部の段目と交差する方向の端部に切込みが形成され、これらの切込みを整合させて係合孔が形成され、前記第１の緩衝クッションの係合孔と前記第２の緩衝クッションの係合孔に段ボールを折畳んで組立てられた連結板の両端が挿入され、前記第１の緩衝クッションの段目の方向の端部の板状部の表面と前記第２の緩衝クッションの段目の方向と交差する方向の端面とが接するように結合されることを特徴とする緩衝装置に関するものである。
【０００６】
さらに別の発明は、梱包する物品を緩衝する緩衝装置において、
段ボールの段目の方向と交差する方向に互いに平行な複数の切断線を形成するとともに、それぞれの切断線を部分的に連結部によって連結し、前記切断線のところで交互に逆方向に折曲げて重合わせて接合した複数の緩衝クッションを段目の方向の端部の板状部の表面と前記切断線によって折曲げられた端面または前記板状部の段目と交差する方向の端面とが接するように組合わされ、
第１の緩衝クッションには、それぞれの板状部に形成された開口を整合させて係合孔が形成され、第２の緩衝クッションには、所定の板状部の段目の方向と交差する方向に突出された突片を重合わせて係合部が形成され、前記第１の緩衝クッションの係合孔に前記第２の緩衝クッションの係合孔が挿入されて、前記第１の緩衝クッションの段目の方向の端部の板状部の表面と前記第２の緩衝クッションの段目の方向と交差する方向の端面とが接するように結合されることを特徴とする緩衝装置に関するものである。
さらに別の発明は、梱包する物品を緩衝する緩衝装置において、
段ボールの段目の方向と交差する方向に互いに平行な複数の切断線を形成するとともに、それぞれの切断線を部分的に連結部によって連結し、前記切断線のところで交互に逆方向に折曲げて重合わせて接合した複数の緩衝クッションを段目の方向の端部の板状部の表面と前記切断線によって折曲げられた端面または前記板状部の段目と交差する方向の端面とが接するように組合わされ、
第１の緩衝クッションには、段目の方向の奇数番目の切断線の両側の切込みが整合されて前記切断線によって折曲げられた端面に切欠きが形成され、前記第１の緩衝クッションの切欠き内に第２の緩衝クッションの板状部の全幅を受入れ、前記第１の緩衝クッションの前記切断線によって折曲げられた端面であって前記切欠きによって露出する端面と前記第２の緩衝クッションの板状部の表面とが接するように結合されることを特徴とする緩衝装置に関するものである。
【０００７】
【作用】
上記一発明によれば、段ボールを切断線のところで交互に逆方向に折曲げて重合わせて接合することにより緩衝クッションが組立てられる。しかもこのような緩衝クッションは互いに連結手段を介して連結されるようになり、これによって緩衝装置が組立てられる。従って梱包される物品の形状や介装される位置に応じて各種の形態の緩衝装置がその目的にそった状態で組立てられることになる。
【０００８】
【発明の実施の形態】
以下本発明を図示の実施の形態によって説明する。まず第１の実施の形態を図１〜図１０によって説明する。ここで用いられる段ボール１０は図１に示すように長方形の形状をなし、その段目が図に示すように高さ方向に延びている。そしてこのような段ボール１０はこの段目と直交するように所定の間隔で１１本の切断線１１が形成されている。そしてそれらの切断線１１にはその長さ方向の両端と中央部とにそれぞれ一対の切込み１２が形成されるとともに、これらの切込み１２間の部分において切断線１１が遮断されて連結部１３が形成されている。
【０００９】
またこのような段ボール１０は上から４番目、６番目、および８番目の切断線１１に臨むようにその両側にそれぞれ一対ずつの切込み１６が形成されている。
【００１０】
そしてこのような段ボール１０は図２に示すように、切断線１１が交互に逆方向になるようにジグザグに折曲げられる。このときに折曲げ線１１で区画されるそれぞれの領域に糊を塗布するとともに、折曲げて重合わせて接合することによって、図３に示すような直方体状をなす緩衝クッション２５が得られる。このような緩衝クッション２５は、切断線１１によって互いに区画されるそれぞれの領域が連結部１３のところで互いに連結された状態で接合されることになる。しかも３本の切断線１１をまたぐように形成されている切込み１６によってその上面であって２個所にそれぞれ係合孔１７が形成されることになる。
【００１１】
次に別の緩衝クッション２６の組立てについて図４〜図６により説明する。ここで用いられる長方形の段ボール１０は図４に示すように、所定の間隔で４本の切断線１１が形成されるとともに、このような切断線１１の長さ方向の３個所の位置に一対の切込み１２によって区画されるように３つの連結部１３がそれぞれ形成されている。このような連結部１３によって、切断線１１によって区画されるそれぞれの領域が互いに連結されるようになっている。
【００１２】
さらにこの段ボール１０は、切断線１１によって区画されるそれぞれの領域に一対ずつのほぼ正方形の開口２１が形成されている。
【００１３】
このような段ボール１０は図５に示すように、折曲げ線１１のところで互いに交互に逆方向にジグザグに折曲げられることになる。しかも切断線１１によって区画されるそれぞれの領域に糊を塗布しておく。そして折曲げられた段ボール１０を糊によって互いに接合することによって、図６に示すような直方体状であってやや偏平な緩衝クッション２６が形成される。ここで切断線１１によって区画されるそれぞれの領域に形成されている一対の開口２１が互いに整合され、これによって図６に示すような一対の係合孔２２が形成されることになる。
【００１４】
次に上記の２種類の緩衝クッション２５、２６を互いに連結する連結手段を構成する筒体について図７および図８により説明する。筒体から成る連結手段は図７に示す段ボール２８によって組立てられる。段ボール２８は縦長の形状をなしており、しかもその上には所定の間隔で４本の折曲げ線２９が互いに平行に形成されている。そしてこのような段ボール２８を図８に示すように折曲げることによって、連結用の筒体３０が組立てられる。なおこの筒体３０の二重になっている部分を予め糊付けして接合するようにしてもよい。
【００１５】
次にこのような筒体３０を用いて２種類の緩衝クッション２５、２６を互いに結合する動作について説明する。図９に示すように、下側に緩衝クッション２５を配するとともに、上側に緩衝クッション２６を配する。このときに緩衝クッション２５の係合孔１７と緩衝クッション２６の係合孔２２とを互いに整合させ、しかも連結用の筒体３０の下端側の部分を緩衝クッション２５の係合孔１７内に挿入し、筒体３０の上端側の部分を緩衝クッション２６の係合孔２２に挿入する。これによって一対の緩衝クッション２５、２６は連結用の筒体３０を介して図１０に示すように互いに連結されることになる。
【００１６】
とくにこの連結構造は、緩衝クッション２５の側端面に緩衝クッション２６の底面が接するようにして両者が筒体３０によって互いに連結される構造になり、緩衝クッション２５、２６の段ボール１０の面が互いに直交するように組立てられることになる。従ってこのことから、緩衝性能と圧縮強度との両立を図りながらしかも両者を調和させるようにした緩衝装置が提供されることになる。
【００１７】
このような緩衝装置は、段ボールから成る緩衝クッション２５、２６を同じく段ボールから成る筒体３０によって互いに連結した構造をなすものであって、総ての材料が段ボールから構成されている。従ってリサイクル可能であるばかりか、焼却処理を行なっても公害を発生することがない。
【００１８】
次に第２の実施の形態を図１１〜図２０によって説明する。この実施の形態は一対の緩衝クッション４１、４２を互いに結合して成る緩衝装置に関するものである。まず第１の緩衝クッション４１の組立てについて説明する。
【００１９】
この緩衝クッション４１は図１１に示すような段ボール１０によって組立てられるようになっている。段ボール１０はほぼ長方形をなすとともに、その段目と直角な方向に所定の間隔で７本の切断線１１が形成されている。そしてこのような切断線１１を分断するように中間位置と両側にはそれぞれ切込み１２によって両側が切断線１１と遮断された連結部１３が形成されている。またこの段ボール１０は切断線１１によって区画されるそれぞれの領域に左右一対の細長い開口２１が形成されている。
【００２０】
図１２に示すようにこのような段ボール１０は切断線１１のところで互いに逆方向に交互に折曲げられるようになっており、このような状態で重合わせるようにしている。しかも切断線１１によって区画されるそれぞれの領域に予め糊を塗布しておくことによって、互いに逆方向にジグザグに折曲げられた段ボール１０は接合されて図１３に示すように直方体状の緩衝クッション４１が組立てられる。このときに上記開口２１が互い整合され、これによって図１３に示すようにその長さ方向の両端にそれぞれ幅方向に延びる細長い係合孔２２が形成される。この係合孔２２はこの緩衝クッション４１の厚さ方向に貫通する係合孔である。
【００２１】
次に別の緩衝クッション４２の組立てについて説明する。緩衝クッション４２は図１４に示すような段ボール１０から組立てられる。この段ボール１０はその段目と直交する方向に互いに所定の間隔で１１本の切断線１１が形成されている。そしてそれぞれの切断線１１はその長さ方向の中間位置と両端とにおいて、一対の切込み１２によって区画された連結部１３を備えている。また上から４番目と５番目の切断線１１との間の領域の板状部および５番目と６番目の切断線１１との間の板状部において、その両側にそれぞれ切込み３３が形成されている。
【００２２】
このような段ボール１０は図１５に示すように、切断線１１のところで互いに交互に逆方向にジグザグに折曲げられるようになっている。しかも切断線１１によって区画されるそれぞれの領域に予め糊が塗布されており、これによって重合わせて接合されるようになっている。図１６はこのようにして重合わされた緩衝クッション４２を示している。この緩衝クッション４２は、とくに上記切込み３３を整合して成る係合孔３４をその側面に有するものである。
【００２３】
次にこのような２種類の緩衝クッション４１、４２を互いに連結する連結手段について図１７および図１８により説明する。ここでは段ボール３５から成る連結板３７が用いられるようになっている。段ボール３７はその長さ方向の中間位置において横方向に折曲げ線３６を備えており、このような折曲げ線３６のところで段ボール３５を折曲げる。なお折曲げたときに互いに接合される面に糊を塗布しておくと好ましい。このような段ボール３５を折曲げ線３６のところで折曲げることによって、図１８に示すような連結板３７が組立てられる。
【００２４】
次にこのような連結板３７によって緩衝クッション４１、４２を組立てる動作を図１９および図２０によって説明する。ここでは図１９に示すように緩衝クッション４１に対して直交するように一対の緩衝クッション４２を両側に配するとともに、一対の連結板３７によって連結する。ここで連結板３７の下端側の部分を緩衝クッション４１の両側に形成されている係合孔２２に挿入する。また連結板３７の上端側の部分を緩衝クッション４２の係合孔３４に挿入する。これによって図２０に示すように、緩衝クッション４１、４２は互いにコ字状に連結されることになる。すなわち１個の緩衝クッション４１と２個の緩衝クッション４２とを用いたコ字状をなす緩衝装置が得られることになる。このような緩衝装置は、物品の例えば３面を同時に緩衝することが可能になり、これによって物品の緩衝効果がより確実に発揮されるようになる。
【００２５】
次に第３の実施の形態を図２１〜図３４によって説明する。この実施の形態は４種類の緩衝クッション５１、５２、５３、５４を互いに結合して成る緩衝装置に関するものである。まず第１の緩衝クッション５１について説明すると、この緩衝クッション５１は図２１〜図２３に示すように、段ボール１０を折曲げて組立てられるようになっている。段ボール１０には図２１に示すように、その段目と直交するように所定の間隔で７本の切断線１１が形成されている。そしてこのような切断線１１の長さ方向の両端には、一対の切込み１２によって区画されるように連結部１３が形成されており、このような連結部１３によって切断線１１が遮断されている。また段ボール１０は切断線１１によって区画される領域においてそれぞれ左右一対の細長い開口２１を有している。
【００２６】
このような段ボール１０は切断線１１のところで互いに逆方向に交互に折曲げられるようになっている。ここで切断線１１によって区画されるそれぞれの領域に予め糊を塗布しておくことによって、ジグザグに折曲げられた段ボール１０が互いに接合され、これによって図２３に示すような緩衝クッション５１が組立てられることになる。こま緩衝クッション５１は開口２１を互いに整合させて成る係合孔２２を備えることになる。なおこの係合孔２２はこの緩衝クッション５１の厚さ方向に貫通する係合孔である。
【００２７】
次に緩衝クッション５２について図２４〜図２６により説明する。この緩衝クッションは図２４に示すように、段ボール１０を組立てて成るものであって、上記緩衝クッション５１と同様に段目と直交する７本の切断線１１を所定の間隔で形成している。しかも切断線１１には一対の切込み１２によって２つずつの連結部１３が形成されるようになっている。
【００２８】
しかもこの段ボール１０には、それぞれの切断線１１によって囲まれる領域においてそれぞれ一対の開口２１が形成されるようになっている。また図２４において上から奇数番目の切断線１１に臨むようにその両側に切込み４６が形成されるようになっている。切断線１１の両側の切込み４６は互いに整合されてほぼ正方形の開口をなしている。
【００２９】
このような段ボール１０は図２５に示すように、切断線１１のところで互いに逆方向に交互に折曲げられることになる。しかもこのような段ボール２１の切断線１１によって囲まれるそれぞれの領域には予め糊が塗布されるようになり、このような状態で折曲げられた段ボール１０を積重ねて接合すると、図２６に示すような緩衝クッション５２が形成される。この緩衝クッション５２は上記開口２１を整合させて成る係合孔２２を長さ方向の両端に備えるようになっている。さらにこの緩衝クッション５２には、上記切込み４６を互いに整合させて成る切欠き４７が形成されることになる。
【００３０】
次に緩衝クッション５３の組立てについて説明する。緩衝クッション５３は図２７に示すような段ボール１０を折曲げて組立てられるようになっている。段ボール１０には１１本の切断線１１が互いに所定の間隔でしかも段目と直交する方向に形成されている。そしてこのような切断線１１にはその長さ方向の両端にそれぞれ一対の切込み１２によって区画された連結部１３が形成されている。また５番目と６番目の切断線１１の間の板状部および６番目および７番目の切断線１１の間の板状部には、その両側に突出するようにそれぞれ突片４８が形成されている。
【００３１】
このような段ボール１０は切断線１１のところで交互に逆方向に折曲げられるようになっており、図２８に示すようにジグザグに折曲げられる。しかもそれぞれの切断線１１によって区画される領域に予め糊を塗布して接合させることによって、図２９に示すような緩衝クッション５３が組立てられる。このときに中間位置の両側に突出する突片４８が側方にそれぞれ突出するようになる。
【００３２】
次に緩衝クッション５４の組立てについて図３０〜図３２により説明する。この緩衝クッション５４は図３０に示すような段ボール１０を折曲げて組立てられるようになっている。段ボール１０にはその段目と直交するように、互いに所定の間隔を隔てて７本の切断線１１が互いに平行に形成されている。そしてそれぞれの切断線１１にはその長さ方向の両端にそれぞれ一対の切込みから成る連結部１３が形成されている。
【００３３】
このような段ボール１０は図３１に示すように、切断線１１のところで交互に逆方向に折曲げられるようになっている。そして切断線１１によって区画されるそれぞれの領域に予め糊を塗布した状態でジグザグに折曲げられた段ボール１０を互いに重合わせて接合すると、図３２に示すような緩衝クッション５４が組立てられることになる。
【００３４】
次にこのような４種類の緩衝クッション５１〜５４によって組立てられる緩衝装置について説明する。一対の緩衝クッション５３を互いに所定の距離を隔てて平行に配するとともに、このような緩衝クッション５３の長さ方向の両側に緩衝クッション５１と５２とを配置する。そして緩衝クッション５３の長さ方向の両端にそれぞれ突出されている突片４８を緩衝クッション５１の係合孔２２と緩衝クッション５２の係合孔２２とにそれぞれ挿入する。これによって緩衝クッション５１、５２と一対の緩衝クッション５３とによって４角形に組立てられる。そしてこの後に緩衝クッション５４を緩衝クッション５２の切欠き４７の部分に直接挿入する。
【００３５】
これによって図３４に示すように４種類の緩衝クッション５１〜５４によって組立てられた緩衝装置が得られるようになる。このような緩衝装置は、物品の５面を同時に緩衝することが可能な緩衝装置を構成することになり、これによって物品のより完全な緩衝を行なうことが可能になる。
【００３６】
以上本発明を図示の３つの実施の形態によって説明したが、本発明は上記３つの実施の形態によって限定されることなく、本発明の技術的思想に基いて各種の変更が可能である。すなわち複数の緩衝クッションの組合わせ構造については、上記実施の形態に限定されることなく、緩衝される物品の形状や目的等に応じて各種の形態が採用可能である。
【００３７】
【発明の効果】
本願の一発明は、梱包する物品を緩衝する緩衝装置において、段ボールの段目と交差する方向に互いに平行な複数の切断線を形成するとともに、それぞれの切断線を部分的に連結し、切断線のところで交互に逆方向に折曲げて重合わせて接合して緩衝クッションとなし、複数の緩衝クッションを互いに連結手段を介して連結するようにしたものである。
【００３８】
従って段ボールを折曲げて組立てて成る緩衝クッションを連結手段を介して連結して組立てられる緩衝装置が提供されることになり、このような緩衝装置によって梱包する物品をより効果的に緩衝することが可能になる。このような緩衝装置は、段ボールから成る緩衝クッションによって組立てられるために、リサイクルが可能であるばかりか、焼却廃棄する場合においても公害を発生しない。また連結の形態を変えることによって各種の物品の緩衝に広く対応することが可能になる。
【図面の簡単な説明】
【図１】第１の実施の形態の緩衝クッションを組立てる段ボールの展開平面図である。
【図２】同緩衝クッションの組立て動作を示す斜視図である。
【図３】組立てられた緩衝クッションの外観斜視図である。
【図４】別の緩衝クッションを組立てる段ボールの展開平面図である。
【図５】同組立て動作を示す斜視図である。
【図６】組立てられた緩衝クッションの外観斜視図である。
【図７】連結用の筒体を組立てる段ボールの展開平面図である。
【図８】組立てられた筒体の外観斜視図である。
【図９】緩衝クッションを連結して緩衝装置を組立てる動作を示す分解斜視図である。
【図１０】緩衝クッションを組合せて成る緩衝装置の外観斜視図である。
【図１１】第２の実施の形態の緩衝クッションを組立てる段ボールの展開平面図である。
【図１２】緩衝クッションの組立て動作を示す斜視図である。
【図１３】緩衝クッションの外観斜視図である。
【図１４】別の緩衝クッションの展開平面図である。
【図１５】同緩衝クッションの組立て動作を示す斜視図である。
【図１６】組立てられた緩衝クッションの外観斜視図である。
【図１７】連結板を組立てる段ボールの展開平面図である
【図１８】組立てられた連結板の外観斜視図である。
【図１９】緩衝クッションを結合して緩衝装置を組立てる動作を示す外観斜視図である。
【図２０】組立てられた緩衝装置の外観斜視図である。
【図２１】第３の実施の形態の緩衝クッションを組立てる段ボールの展開平面図である。
【図２２】緩衝クッションの組立て動作を示す外観斜視図である。
【図２３】組立てられた緩衝クッションの外観斜視図である。
【図２４】別の緩衝クッションを組立てる段ボールの展開平面図である。
【図２５】同緩衝クッションの組立て動作を示す斜視図である。
【図２６】組立てられた緩衝クッションの外観斜視図である。
【図２７】別の緩衝クッションを組立てる段ボールの展開平面図である。
【図２８】組立て動作を示す外観斜視図である。
【図２９】組立てられた緩衝クッションの外観斜視図である。
【図３０】別の緩衝クッションを組立てる段ボールの展開平面図である。
【図３１】緩衝クッションの組立て動作を示す斜視図である。
【図３２】緩衝クッションの外観斜視図である。
【図３３】緩衝装置の組立てを示す分解斜視図である。
【図３４】組立てられた緩衝装置の外観斜視図である。
【符号の説明】
１０  段ボール
１１  切断線
１２  切込み
１３  連結部
１６  切込み
１７  係合孔
２１  開口
２２  係合孔
２５、２６  緩衝クッション
２８  段ボール
２９  折曲げ線
３０  筒体
３３  切込み
３４  係合孔
３５  段ボール
３６  折曲げ線
３７  連結板
４１、４２  緩衝クッション
４６  切込み
４７  切欠き
４８  突片
５１〜５４  緩衝クッション
【図１】
0004336005.tif 000002
【図２】
0004336005.tif 000003
【図３】
0004336005.tif 000004
【図４】
0004336005.tif 000005
【図５】
0004336005.tif 000006
【図６】
0004336005.tif 000007
【図７】
0004336005.tif 000008
【図８】
0004336005.tif 000009
【図９】
0004336005.tif 000010
【図１０】
0004336005.tif 000011
【図１１】
0004336005.tif 000012
【図１２】
0004336005.tif 000013
【図１３】
0004336005.tif 000014
【図１４】
0004336005.tif 000015
【図１５】
0004336005.tif 000016
【図１６】
0004336005.tif 000017
【図１７】
0004336005.tif 000018
【図１８】
0004336005.tif 000019
【図１９】
0004336005.tif 000020
【図２０】
0004336005.tif 000021
【図２１】
0004336005.tif 000022
【図２２】
0004336005.tif 000023
【図２３】
0004336005.tif 000024
【図２４】
0004336005.tif 000025
【図２５】
0004336005.tif 000026
【図２６】
0004336005.tif 000027
【図２７】
0004336005.tif 000028
【図２８】
0004336005.tif 000029
【図２９】
0004336005.tif 000030
【図３０】
0004336005.tif 000031
【図３１】
0004336005.tif 000032
【図３２】
0004336005.tif 000033
【図３３】
0004336005.tif 000034
【図３４】
0004336005.tif 000035